(57)【要約】【課題】プラントの全体的な挙動を示すデータとプラント機器の詳細なデータを端末装置に対応付けて表示する監視制御システムを得る。【解決手段】プラントデータ収集装置１、プラント機器２、制御ネットワーク３、情報ネットワーク４、監視制御装置５、基地局６、携帯端末７、発信／受信器８とを備えて構成される。プラントデータ収集装置１と監視制御装置５および基地局６は情報ネットワーク４を介して接続される。プラントデータ収集装置１とプラント機器２とは制御ネットワーク３を介して接続される。また、携帯端末７は無線により基地局６を介して情報ネットワーク４に接続することができ、また、携帯端末７は無線により発信／受信器８を介してプラント機器２と接続することができる。【選択図】        図１
2004348582.tif 000002
【特許請求の範囲】
【請求項１】
施設の稼動状態に係る情報を収集し、制御を行う制御部を有する施設の監視制御システムにおいて、
前記施設を構成する機器の、夫々の動作状態に係るデータを当該機器から直接収集するデータ収集手段を備え、且つ、前記データ収集手段は、前記制御部に対して当該制御部が収集した前記情報の中から所定の情報を入手する情報入手手段を備えることを特徴とする監視制御システム。
【請求項２】
データ収集手段は携帯端末であることを特徴とする請求項１記載の監視制御システム。
【請求項３】
機器と携帯端末の間で、直接データの交換を行う通信手段を設けたことを特徴とする請求項２記載の監視制御システム。
【請求項４】
前記発信手段は機器夫々に備えていることを特徴とする請求項３記載の監視制御システム。
【請求項５】
データ収集手段は、制御部が収集した情報と、前記データ収集手段が機器から直接収集したデータとを対応付ける対応提示手段を備えることを特徴とする請求項１から請求項４のうちのいずれか１項記載の監視制御システム。
【請求項６】
対応提示手段は、テーブル形式で対応関係を記述してあることを特徴とする請求項５記載の監視制御システム。
【請求項７】
データ収集手段は、制御部から入手した情報と機器から直接収集したデータとを所定の形態で表示する表示手段を備えることを特徴とする請求項１から請求項６のうちのいずれか１項記載の監視制御システム。
【請求項８】
データ収集手段は、制御部で表示されている画像情報を入手し、表示手段は機器から直接収集したデータを、前記入手した画像情報と共に表示することを特徴とする請求項７記載の監視制御システム。
【発明の詳細な説明】
【０００１】
【発明の属する技術分野】
この発明は、例えばプラント施設等の施設と、その施設を構成する機器の動作状態を監視する監視制御システムに関するものである。
【０００２】
【従来の技術】
従来のプラントの監視制御システムでは、その端末装置（例えば携帯端末）はプラントの情報を得るために、プラントデータ等を収集する監視制御室のプラントデータ収集装置に接続されていた（例えば、特許文献１参照）。他方、プラントを構成するプラント機器の稼動状態を示すデータを、プラント機器から直接収集する手段は設けられてはいなかった。
【０００３】
【特許文献１】
特開２００２−２５１２１３号公報（段落［００２１］、図４）
【０００４】
【発明が解決しようとする課題】
このような端末装置では、プラント機器から直接詳細なデータを取得することができないので、たとえプラントデータ収集装置から稼動状態を示すデータが得られたとしても、プラントの全体的な挙動を把握しながら各機器の詳細を調べることができなかった。
【０００５】
この発明は上記のような課題を解決するためになされたもので、端末装置はプラント監視制御室で扱うプラントの全体的な挙動を示すデータを、そのプラント監視制御室から取得し、また、プラント機器の詳細なデータを夫々のプラント機器から直接取得して、プラントの全体的な挙動を把握しつつ各機器の詳細を調べることができる監視制御システムを得ることを目的とする。
【０００６】
【課題を解決するための手段】
この発明に係る監視制御システムは、施設の稼動状態に係る情報を収集し、制御を行う制御部を有する施設の監視制御システムにおいて、施設を構成する機器の、夫々の動作状態に係るデータをその機器から直接収集するデータ収集手段を備え、且つ、データ収集手段は、制御部に対してその制御部が収集した情報の中から所定の情報を入手する情報入手手段を備えるものである。
【０００７】
【発明の実施の形態】
この発明に係る監視制御システムの実施の一形態について説明する。なお、ここでの説明はプラント施設とそれを構成するプラント機器の稼動状態を監視するシステムに関しているが、ビル施設やレジャー施設の監視についても同様に適用されるものである。
実施の形態１．
この発明の実施の形態１に係る監視制御システムについて、図１〜図４を参照して説明する。なお、図１は実施の形態１に係る監視制御システムの構成を示す図であり、図２はこの監視制御システムに適用される携帯端末の構成を示す図であり、図３はこの監視制御システムに適用される対応付けデータベースの一例を示すテーブルである。また、図４はプラント機器の一例としてポンプの可動状態を示す図である。
【０００８】
実施の形態１に係る監視制御システムは、プラントデータ収集装置１と、プラント機器２と、制御ネットワーク３と、情報ネットワーク４と、監視制御装置５と、基地局６と、携帯端末７と、発信／受信器８とを備えて構成される。
【０００９】
プラントデータ収集装置１と監視制御装置５はプラント施設の稼動を制御する部門に設けられていて、情報ネットワーク４を介して接続されている。また、プラントデータ収集装置１と基地局６も情報ネットワーク４を介して接続される。一方、プラントデータ収集装置１とプラント機器２とは制御ネットワーク３を介して接続されている。および情報ネットワーク４は例えばＬＡＮ（Ｌｏｃａｌ  Ａｒｅａ  Ｎｅｔｗｏｒｋ）で構成される。
【００１０】
また、携帯端末７は無線により基地局６を介して情報ネットワーク４に接続することができ、また、携帯端末７は無線により発信／受信器８を介してプラント機器２と接続することができる。この携帯端末７がプラントデータ収集装置１からデータを得ると共に、プラント機器２からその詳細なデータを直接収集できることが本発明の特徴を成すものである。なお、プラント機器２からのデータ収集は、プラント機器２の詳細なデータを制御ネットワーク３、情報ネットワーク４を介して基地局６に送り、この基地局６と携帯端末７との間で行うようにしてもよい。
【００１１】
図１に示すプラント監視制御システムでは、プラントデータ収集装置１は制御ネットワーク３を介してプラント機器２のプラントデータを収集し、情報ネットワーク４を介して監視制御装置５にプラントデータの配信を行い、携帯端末７に対しては情報ネットワーク４、基地局６を介してプラントデータの配信を行う。一方、監視制御装置５はプラントデータ収集装置１や携帯端末７からのデータに基づいてプラント機器２の制御を行う。
【００１２】
図２に示すように携帯端末７は、基地局６とデータの通信を行い、プラントデータ収集装置１からプラントデータを取得する基地局通信手段７０１と、発信／受信器８を介してプラント機器２と通信を行い、そのプラント機器２の詳細なデータを取得するプラント機器通信手段７０２と、基地局通信手段７０１により取得したプラントデータとプラント機器通信手段７０２により取得したデータとの対応付けを記録した対応付けデータベース７０３と、対応付けデータベース７０３の情報に基づき、基地局通信手段７０１から取得したプラントデータとプラント機器通信手段７０２から取得したプラント機器２の詳細なデータとを携帯端末７に同時に表示する表示手段７０４とを備えて構成される。
【００１３】
対応付けデータベース７０３の対応付けの関係が記述された一例として、図３に示すテーブルがある。プラントデータ収集装置１が収集するプラントデータと、プラント機器２から直接収集されるプラント機器２の詳細なデータとの対応付けがテーブルとして記述されている。例えばプラントデータ収集装置１からのデータとして（図３の左欄）、「Ｐ＿１」は、図４に示すポンプ２ａ〜２ｃの内のポンプ２ａに関するＯＮ／ＯＦＦ状態が記述され、これと対応して、プラント機器２から直接収集したデータとして（図３の右欄）、「Ｄ＿１＿１」はポンプ２ａの回転数であり、「Ｄ＿１＿２」はポンプ２ａの電流が記述されている。
【００１４】
例えば、ポンプ２ａの回転数は３０００ｒｐｍであり、電流は１０Ａであることが記述される。因みにポンプ２ｂに関してはＯＦＦの状態が、また、ポンプ２ｃに関しては回転数は１５００ｒｐｍであり、電流は５Ａであることが別途記述されている。これらのデータを対応付けて表示手段７０４に表示することで、携帯端末７の操作者はポンプ２ａの稼動状態を容易に確認することができる。なお、テーブルの構成は上述したことに限るものではない。
【００１５】
上述した監視制御システムはプラント施設とそれを構成するプラント機器の稼動状態を監視するシステムに関しているが、施設と、これを監視制御する制御部と、携帯端末により監視制御システムが導入されて好適なもの、例えばビル施設やレジャー施設の監視についても本発明は同様に適用されるものである。
【００１６】
以上説明したように実施の形態１の監視制御システムにより、携帯端末７はプラントデータ収集装置１から得るプラントの稼動状態を示すプラントデータと、プラント機器２から直接収集する詳細なデータとから、これらのデータを対応付けることによって、プラント機器２のより具体的な状況を知ることができ、携帯端末７から、より適切にプラント機器２の制御の指示を行うことが可能となる。
【００１７】
実施の形態２．
この発明の実施の形態２に係る監視制御システムについて、図１、図２、図５、図６を参照して説明する。なお、図５は実施の形態２に係る監視制御システムの構成を示す図であり、図６は監視制御システムに適用される対応付けデータベースの他のテーブルの例である。
【００１８】
実施の形態２の監視制御システムは、実施の形態１で説明した監視制御システムにおいて、対応付けデータベース７０３が備える対応付けのテーブルを図６に示すものにしたこと、およびプラント機器に関する情報を記録した設備情報データベース９を情報ネットワーク４に接続して設けたことにおいて異なる。従って、他の構成要素とその働きは同様であり、説明は省略する。
【００１９】
図６に示す対応付けデータベース７０３では、各々のプラント機器２に、プラントデータ収集装置１から取得できるプラントデータ、プラント機器２から取得できるプラント機器２の詳細なデータ、プラント機器２の設備情報等が左欄に示され、右欄に夫々の項目対して記述され対応付けられている。例えば、プラントデータに対しＰ＿１（ポンプ２ａのＯＮ／ＯＦＦ状態）、プラント機器詳細データに対し「Ｄ＿１＿１」（ポンプ２ａの回転数）、および「Ｄ＿１＿２」（ポンプ２ａの電流）、設備データに対し点検日時と導入日時が記述されていている。なお、テーブルはこれに限ることはなく他の必要な項目を加えてもよい。
【００２０】
携帯端末７は、プラントデータ収集装置１からプラントデータを取得し、またプラント機器２からプラント機器の詳細なデータを取得し、また別途、情報ネットワーク４に接続する設備情報データベース９から、設備データを取得し、対応付けデータベース７０３の情報に基づいてこれらを関連付け、表示することができる。これにより、プラントの全体的な挙動を把握しつつ各プラント機器２の稼動状態や設備情報を知ることができ、より適切にプラント機器２の制御の指示を行うことが可能となる。
【００２１】
実施の形態３．
この発明の実施の形態３に係る監視制御システムについて、図２を参照して説明する。また、適宜、図１を参照する。
この実施の形態３の監視制御システムは、実施の形態１または実施の形態２の監視制御システムにおいて、監視制御装置５で表示する監視制御用の画面を用いて、携帯端末７にプラントデータ収集装置１から取得したプラントデータと、プラント機器２から直接収集したプラント機器詳細データを加えて表示するものである。
【００２２】
図２に示す表示手段７０４には、対応付けデータベース７０３の情報に基づき、監視制御装置５で表示する監視制御用の画面と、プラントデータ収集装置１から取得するプラントデータと、それに対応するプラント機器２から取得するプラント機器詳細データとが表示される。監視制御装置５で表示する監視制御用の画面は情報ネットワーク４を介して取得する。これにより、新たな画面を作成することなく、既存の監視制御装置用の画面データを用いて、携帯端末７にプラントの概要と各機器の詳細を表示することが可能となる。
【００２３】
【発明の効果】
以上のように、この発明によれば、携帯端末はプラントデータ収集装置から得るプラントの稼動状態を示すデータと、プラント機器から直接収集する詳細なデータとから、これらのデータを対応付けて携帯端末の表示手段にこれらの情報を表示することができ、プラント機器のより具体的な状況を容易に知ることができると共に、携帯端末から、より適切にプラント機器の制御の指示を行うことが可能となる効果がある。
【００２４】
この発明によれば、施設と、これを監視制御する制御部と、携帯端末により監視制御システムが導入されて好適なもの、例えばビル施設やレジャー施設の監視についても好適に用いることができる効果がある。
【図面の簡単な説明】
【図１】この発明の実施の形態１に係る監視制御システムの構成を示す図である。
【図２】実施の形態１に係る監視制御システムに適用される携帯端末の構成を示す図である。
【図３】実施の形態１に係る監視制御システムに適用される対応付けデータベースの一例を示すテーブルである。
【図４】プラント機器の一例としてポンプの可動状態を示す図である。
【図５】この発明の実施の形態２に係る監視制御システムの構成を示す図である。
【図６】実施の形態２に係る監視制御システムに適用される対応付けデータベースの例を示すテーブルである。
【符号の説明】
１  プラントデータ収集装置（データ収集手段）、２  プラント機器（機器）、２ａ，２ｂ，２ｃ  ポンプ、３  制御ネットワーク、４  情報ネットワーク、５  監視制御装置（制御部）、６  基地局、７  携帯端末、８  発信／受信器（通信手段）、９  設備情報データベース、７０１  基地局通信手段、７０２  プラント機器通信手段、７０３  対応付けデータベース（対応提示手段）、７０４表示手段。
【図１】
2004348582.tif 000003
【図２】
2004348582.tif 000004
【図３】
2004348582.tif 000005
【図４】
2004348582.tif 000006
【図５】
2004348582.tif 000007
【図６】
2004348582.tif 000008